(57)【要約】【課題】露出確認等の撮影画像の比較確認を的確に行うことを可能とした表示制御装置、撮像装置、表示制御装置の制御方法、及びプログラムを提供する。【解決手段】撮像装置は、マイコン３、環境光照度センサ７、液晶モニタ１０２を備える。マイコン３は、環境光照度センサ７により検出した外光照度を基に算出し液晶モニタ１０２の設定輝度を求める。液晶モニタ１０２の表示モードの変更があった場合または表示モードの変更がなくとも液晶モニタ１０２がＭＥＮＵ表示モードにある場合は、マイコン３は液晶モニタ１０２の表示輝度を設定輝度に変更する。液晶モニタ１０２の表示モードの変更がなく且つ液晶モニタ１０２がＭＥＮＵ表示モードでない場合は、マイコン３は液晶モニタ１０２の表示輝度を更新しない。【選択図】図７
2010258569.tif 000002
【特許請求の範囲】
【請求項１】
複数の表示モードのうちの任意の表示モードを表示可能な表示手段と、
前記表示手段の表示を制御する制御手段と、を備える表示制御装置であって、
前記表示手段の周囲の明るさを検出する検出手段を備え、
前記複数の表示モードには、画像の撮影に関わる設定を含むメニューを表示するメニュー表示モードを含み、
前記制御手段は、前記表示手段の表示モードが変更された場合または前記表示手段が前記メニュー表示モードにある場合は、前記検出手段により検出された前記表示手段の周囲の明るさの変化に応じて算出した設定輝度に前記表示手段の表示輝度を変更し、前記表示手段の表示モードに変更がなく前記表示手段が前記メニュー表示モードにない場合は、前記表示手段の表示輝度を変更しないことを特徴とする表示制御装置。
【請求項２】
前記複数の表示モードには、画像を表示する画像表示モードを含み、
前記制御手段は、前記表示手段が前記画像表示モードにある場合は、前記検出手段により検出された前記表示手段の周囲の明るさの変化にかかわらず、前記表示手段の表示輝度を前記画像表示モードに切り換えた際に設定した表示輝度に保持することを特徴とする請求項１記載の表示制御装置。
【請求項３】
前記制御手段は、前記表示手段の表示モードの切り換わり時における前記表示手段の表示画像の切り換わりに同期して、表示画像の全体の明るさを変更することを特徴とする請求項１記載の表示制御装置。
【請求項４】
前記表示手段に表示している画像と次に前記表示手段に表示しようとしている画像に連続性があるか否かを判定する判定手段を更に備え、
前記制御手段は、前記判定手段により画像に連続性がないと判定された場合は、前記検出手段により検出された前記表示手段の周囲の明るさの変化に応じて算出した設定輝度に前記表示手段の表示輝度を変更し、前記判定手段により画像に連続性があると判定された場合は、前記表示手段の表示画像を切り換える際に前記表示手段の表示輝度を更新せずにそれまでの表示輝度を保持することを特徴とする請求項１記載の表示制御装置。
【請求項５】
前記表示手段の明るさを保持するための指示を行う指示手段を更に備え、
前記制御手段は、前記指示手段により前記表示手段の明るさを保持するための指示が行われた場合、前記表示手段の表示画像を切り換える際に前記表示手段の表示輝度を更新せずにそれまでの表示輝度を保持することを特徴とする請求項１記載の表示制御装置。
【請求項６】
前記制御手段は、前記表示手段が前記メニュー表示モードにある場合は、前記検出手段により検出された前記表示手段の周囲の明るさの変化に応じて算出した設定輝度に前記表示手段の表示輝度を設定し、前記表示手段が前記メニュー表示モードにない場合は、手動により設定された設定輝度に前記表示手段の表示輝度を設定することを特徴とする請求項１記載の表示制御装置。
【請求項７】
請求項１乃至６のいずれか１項に記載の表示制御装置を備えることを特徴とする撮像装置。
【請求項８】
複数の表示モードのうちの任意の表示モードを表示可能な表示手段を備える表示制御装置の制御方法であって、
前記表示手段の表示を制御する制御ステップと、前記表示手段の周囲の明るさを検出する検出ステップとを備え、
前記複数の表示モードには、画像の撮影に関わる設定を含むメニューを表示するメニュー表示モードを含み、
前記制御ステップでは、前記表示手段の表示モードが変更された場合または前記表示手段が前記メニュー表示モードにある場合は、前記検出ステップにより検出された前記表示手段の周囲の明るさの変化に応じて算出した設定輝度に前記表示手段の表示輝度を変更し、前記表示手段の表示モードに変更がなく前記表示手段が前記メニュー表示モードにない場合は、前記表示手段の表示輝度を変更しないことを特徴とする表示制御装置の制御方法。
【請求項９】
複数の表示モードのうちの任意の表示モードを表示可能な表示手段を備える表示制御装置の制御方法をコンピュータに実行させるためのコンピュータで読み取り可能なプログラムであって、前記制御方法は、
前記表示手段の表示を制御する制御ステップと、前記表示手段の周囲の明るさを検出する検出ステップとを備え、
前記複数の表示モードには、画像の撮影に関わる設定を含むメニューを表示するメニュー表示モードを含み、
前記制御ステップでは、前記表示手段の表示モードが変更された場合または前記表示手段が前記メニュー表示モードにある場合は、前記検出ステップにより検出された前記表示手段の周囲の明るさの変化に応じて算出した設定輝度に前記表示手段の表示輝度を変更し、前記表示手段の表示モードに変更がなく前記表示手段が前記メニュー表示モードにない場合は、前記表示手段の表示輝度を変更しないことを特徴とするプログラム。
【発明の詳細な説明】
【技術分野】
【０００１】
本発明は、表示部に対する表示制御を行う表示制御装置、撮像装置、表示制御装置の制御方法、及びプログラムに関する。
【背景技術】
【０００２】
従来、撮影した画像を再生表示する表示部を筐体の背面部に備えた撮像装置（カメラ）がある。撮像装置では、表示部を構成する表示素子は周囲光（環境光）の照度により見易さが変動するため、撮影した画像を表示部に再生表示する際に表示部が見易くなるように、表示部の明るさを変化させる制御が行われている。撮像装置の表示部の明るさは、表示部の近傍に配設された照度センサにより検出した明るさに応じて制御される。
【０００３】
撮像装置の表示部が例えばＴＦＴ液晶ディスプレイの場合、周囲の明るさの変化に対応して表示部の輝度が敏感に反応すると、使用者は輝度の揺らぎを不快と感じる。そのため、明るさの応答を緩やかにすることがビデオカメラ等の撮像装置で知られている。しかしながら、撮像装置の表示部に画像を表示中に表示の明るさが変わると、たとえ明るさの応答が緩やかな変化であっても、露出の確認を行うことは難しい。
【０００４】
本出願人は、上述したような撮像装置の表示部の明るさの制御に関わる技術として、デジタルカメラの背面モニタにおける周囲光を評価してバックライトの制御を行う技術を提案している。本提案は、背面モニタの自動輝度制御を、表示内容の変化が無い場合は緩やかにし、表示内容が切替る場合やデジタルカメラの状態遷移がある場合は一気に行うものである。
【０００５】
他方、動画と静止画の記録が可能なカメラにおいて、電池残量及び周囲の明るさを検知し、「モニタ」、「記録」、「再生」といった表示モードにより、表示部の輝度と連続表示時間を設定し制御する技術が提案されている（例えば、特許文献１参照）。
【先行技術文献】
【特許文献】
【０００６】
【特許文献１】特開２０００−１２５１６３号公報
【発明の概要】
【発明が解決しようとする課題】
【０００７】
上述したように撮像装置の表示部を構成する表示素子は周囲光（環境光）の照度により見易さが変動する。撮像装置は、照度センサの受光部における光学的に構成された経路を通過して受光素子へ入射する光量を基に周囲光の照度を測定し、その測定値に応じた動作を行う。そのため、日中の屋外のような環境に比較すると室内や夜間では光源が点在することが多くなり、照度の測定に際しては光源と受光素子の光学的な位置関係の影響を受け易くなる。
【０００８】
本出願人は、このような問題の対策や改善のために、撮像装置の使用環境における周囲の光量を考慮して、使用者が不快感なく、表示部に表示される画像の視認性を向上させることが可能な光量評価機能付き表示装置及び光供給制御方法を提供している。
【０００９】
光量評価機能付き表示装置の背面に装備された周囲の明るさを測定する照度検出部の出力に応じて表示装置の輝度を確定し、照度の測定と輝度の更新設定を継続的に繰り返す。表示装置の輝度の変化を、表示内容の変化が無い場合は緩やかに行い、表示内容が切り換わる場合やカメラの状態遷移がある場合は一気に行う。
【００１０】
この表示制御では、同じ表示内容であれば、ゆっくりと明るさが変化するので、周囲の明るさの変化に敏感に変化することがなく、表示内容を違和感なく確認することができる。しかしながら、たとえ緩やかであっても明るさが変化してしまうと、撮影画像の詳細確認を行うことに影響が生じ、特に露出の確認は困難であるという問題がある。また、複数の画像を順次切り換えながら表示することでそれぞれの露出を比較して確認することも難しいという問題がある。
【００１１】
本発明の目的は、露出確認等の撮影画像の比較確認を的確に行うことを可能とした表示制御装置、撮像装置、表示制御装置の制御方法、及びプログラムを提供することにある。
【課題を解決するための手段】
【００１２】
上記目的を達成するために、本発明は、複数の表示モードのうちの任意の表示モードを表示可能な表示手段と、前記表示手段の表示を制御する制御手段と、を備える表示制御装置であって、前記表示手段の周囲の明るさを検出する検出手段を備え、前記複数の表示モードには、画像の撮影に関わる設定を含むメニューを表示するメニュー表示モードを含み、前記制御手段は、前記表示手段の表示モードが変更された場合または前記表示手段が前記メニュー表示モードにある場合は、前記検出手段により検出された前記表示手段の周囲の明るさの変化に応じて算出した設定輝度に前記表示手段の表示輝度を変更し、前記表示手段の表示モードに変更がなく前記表示手段が前記メニュー表示モードにない場合は、前記表示手段の表示輝度を変更しないことを特徴とする。
【発明の効果】
【００１３】
本発明によれば、表示手段の周囲の明るさ、表示モードの変更の有無あるいは設定された表示モードの種類に基づき、表示手段の表示輝度を制御するので、表示手段における露出確認等の撮影画像の比較確認を的確に行うことが可能となる。
【図面の簡単な説明】
【００１４】
【図１】本発明の第１の実施の形態に係る撮像装置の構成例を示すブロック図である。
【図２】撮像装置の背面部の構成を示す図である。
【図３】撮像装置の上面部の構成を示す図である。
【図４】撮像装置の動作モードの状態遷移を示す図である。
【図５】（ａ）は、撮像装置の液晶モニタに表示されるメニューを示す図、（ｂ）は、液晶モニタに表示される静止画再生状態における静止画を示す図である。
【図６】撮像装置の外光照度の変化、目標輝度及び設定輝度の変化、照度検出タイミングの関係を示すタイミングチャートである。
【図７】撮像装置のタイマ割り込みルーチンによる輝度設定処理を示すフローチャートである。
【図８】本発明の第２の実施の形態に係る撮像装置の動作モードの状態遷移を示す図である。
【図９】撮像装置の外光照度の変化、目標輝度及び設定輝度の変化、照度検出タイミングの関係を示すタイミングチャートである。
【図１０】撮像装置の外光照度の変化、目標輝度及び設定輝度の変化、照度検出タイミングの関係を示すタイミングチャートである。
【図１１】撮像装置のタイマ割り込みルーチンによる輝度設定処理を示すフローチャートである。
【図１２】本発明の第３の実施の形態に係る撮像装置のタイマ割り込みルーチンによる輝度設定処理を示すフローチャートである。
【図１３】撮像装置のタイマ割り込みルーチンによる輝度自動設定処理の詳細を示すフローチャートである。
【発明を実施するための形態】
【００１５】
以下、本発明の実施の形態を図面に基づいて説明する。
【００１６】
〔第１の実施の形態〕
本発明の第１の実施の形態では、撮像装置の画像表示部における表示モードの変更の有無あるいは設定された表示モードの種類に基づいた、画像表示部の表示輝度の制御について説明する。
【００１７】
撮像装置は、複数の表示モード（画像の撮影に関わる設定を含むメニューを表示する「ＭＥＮＵ表示」モード、静止画を再生表示する「再生表示」モード、動画を再生表示する「動画表示」モードを含む）を有する。撮像装置では、画像表示部の表示モードを複数の表示モードのうち任意の表示モードに切り換えが可能であり、画像表示部の表示モードの切り換わり時における画像表示部の表示画像の切り換わりに同期して、表示画像の全体の明るさを変更することが可能である。
【００１８】
撮像装置が「ＭＥＮＵ表示」モード（メニュー表示モード）にある場合は、随時、周囲の明るさの変化に応じて画像表示部の表示輝度を変更する。撮像装置が「再生表示」モード（画像表示モード）または「動画表示」モード（画像表示モード）にある場合は、周囲の明るさが変化しても、画像表示部の表示輝度を「再生表示」モードまたは「動画表示」モードへの切り換え時に設定した輝度に保持する。
【００１９】
図１は、本発明の第１の実施の形態に係る撮像装置の構成例を示すブロック図である。
【００２０】
図１において、撮像装置は、デジタルカメラとして構成されており、撮像部１、画像処理部２、マイクロコンピュータ（以下マイコンと略記）３、焦点検出部４、撮影レンズ５、画像表示部６、環境光照度センサ７、測光センサ８、外部記憶装置９を備えている。更に、撮像装置は、電源スイッチ、メカニカルシャッタ、シャッタ駆動部、クイックリターンミラー、モータドライバ（以上不図示）等を備えている。
【００２１】
撮像部１は、撮像素子（例えばＣＣＤまたはＣＭＯＳエリアセンサ）と、撮像素子を駆動するセンサ駆動部とから構成されている。撮像部１は、撮影レンズ５の光学系を通じて撮影領域（被写体）からの光束を光学像として撮像素子に結像させ、撮像素子により光学像を光電変換し画像信号（電気的信号）として画像処理部２へ出力する。
【００２２】
画像処理部２は、Ａ／Ｄ変換部、ローパスフィルタ、インタフェース（Ｉ／Ｆ）部、ホワイトバランス（以下ＷＢ）調整部、領域抽出及び平均輝度検出部、リサイズ部、ＶＲＡＭ（以上不図示）を備えている。画像処理部２は、撮像部１からの画像信号をＡ／Ｄ変換した後、撮像部１に起因する一連の補正（暗電流補正、シェーディング補正等）を行う。また、画像処理部２は、ローパスフィルタによりノイズ成分を除去し、いわゆる絵作りに関する一連の画像処理（画素及び色補間処理、ＷＢ処理、ガンマ補正等）を行う。また、画像処理部２は、Ｉ／Ｆ部により、一連の画像処理を行った撮影画像データの外部記憶装置９への送り出し、外部記憶装置９に記録された撮影画像データの取り込みを行う。
【００２３】
画像処理部２は、画像処理を行った撮像部１からの撮影画像データや外部記憶装置９に記録された撮影画像データに対し、表示のための所定の処理を行った後、画像表示部６に出力する。ＷＢ調整部は、領域抽出及び平均輝度検出部からの出力に基づいて、表示画像のＷＢを調整する。リサイズ部は、ＷＢ調整された表示画像は、画像表示部６のＬＣＤ表示部６２に領域表示可能な解像度に解像度変換した後、その出力をＶＲＡＭに格納する。ＶＲＡＭに格納された表示画像データは画像表示部６に出力される。
【００２４】
マイコン３（制御手段、判定手段）は、撮像装置全体の制御を行うものであり、ＣＰＵ（中央演算処理部）、ＲＡＭ、ＲＯＭ、不揮発性メモリ、入出力ポート、Ａ／Ｄ変換部等を内蔵すると共に、タイマ機能を有する。マイコン３は、ＲＯＭに格納されたシーケンスプログラムに基づいて、図７、図１１、図１２、図１３の各フローチャートに示す処理を含む各種処理を実行する。マイコン３の不揮発性メモリには、露出制御や焦点調節に関する調整値等を含む制御パラメ−タや、撮像素子の調整値、撮影画像のＷＢから画像表示部６に撮影画像を表示する際の制御値等の画像処理の制御・調整に関係するパラメータが格納されている。
【００２５】
焦点検出部４は、結像面近傍に配置されたフィ−ルドレンズ、反射ミラ−、２次結像レンズ、絞り、ラインセンサ（複数の光電変換素子からなるＣＣＤ等）から構成されている。本実施の形態では、焦点検出部４は、公知の位相差方式で焦点の検出を行うと共に、観察画面内（ファインダ視野内）の複数の領域を測距点として該測距点の焦点が検出可能となるように構成されている。
【００２６】
撮影レンズ５には、焦点調節回路、絞り駆動回路、制御部が組み込まれており、撮像装置本体１０１に対し着脱自在に装着される。撮影レンズ５とマイコン３との間でマウント接点（不図示）を介して信号が伝達される。マイコン３は、焦点検出部４からの出力に基づき撮影レンズ５の焦点調節回路を制御して適正な焦点調節となる信号を出力すると共に、測光回路（不図示）からの出力に基づき撮影レンズ５の絞り駆動回路を制御して適正な露光量となる信号を出力する。
【００２７】
画像表示部６は、ＬＣＤ制御部６１、ＬＣＤ表示部６２、バックライト６３から構成される。ＬＣＤ表示部６２とバックライト６３により後述の液晶モニタ（図２）を構成している。ＬＣＤ制御部６１は、ＷＢ制御部６４、コントラスト制御部６５、輝度制御部６６、γ補正部６７、Ｄ／Ａ変換部６８、ＬＣＤドライバ部６９を備えている。ＷＢ制御部６４は、ＬＣＤ表示部６２の表示画像のＷＢを制御する。コントラスト制御部６５は、ＬＣＤ表示部６２の表示画像のコントラストを制御する。輝度制御部６６は、周囲の明るさからＬＣＤ表示部６２の表示画像の明るさを制御する。
【００２８】
γ補正部６７は、ＶＲＡＭからの出力に対しＬＣＤ表示部６２に適した表示画像となるようガンマ補正を行う。Ｄ／Ａ変換部６８は、γ補正部６７の出力をＬＣＤ表示部へ出力する信号にＤ／Ａ変換する。ＬＣＤドライバ部６９は、Ｄ／Ａ変換部６８でＤ／Ａ変換された画像データに同期させてＬＣＤ表示部６２の駆動信号を出力する。
【００２９】
ＬＣＤ表示部６２は、ＬＣＤ表示パネル（ＴＦＴ液晶ディスプレイ）を有し、バックライト６３により照明される。ＬＣＤ表示部６２の表示対象は、撮像部１から画像表示部６に出力される画像データの他に、外部記憶装置９に記録された画像データ、撮像装置の設定情報を含む。バックライト６３は、複数のＬＥＤと光学部材から構成される。ＬＥＤの駆動制御は定電流及びマイコン３からのＰＷＭ制御信号によるオン−オフ制御により行われ、ＬＥＤの点灯時の輝度の変更はそのデューティ比を変えることで行う。デューティ制御分解能は例えば８ｂｉｔであり、ＬＥＤのフルオン時には定電流で常時オンされる。このときバックライト６３は最大輝度となる。
【００３０】
環境光照度センサ７（検出手段）は、マイコン３のＡ／Ｄ変換部（不図示）に接続されると共に、撮像装置の背面部の照度センサ受光部１１２（図２参照）の内側に設置されている。環境光照度センサ７は、液晶モニタ１０２の周囲の明るさ（照度）を検出するものであり、照度センサ受光部１１２を透過した入射光量に比例した出力が得られる。液晶モニタ１０２の周囲の明るさ（照度）と環境光照度センサ７の出力との関係は下記の関係式で示される。
明るさ：照度（入射光量）＝環境光照度センサの出力
÷環境光照度センサの感度×受光窓の透過率
【００３１】
本実施の形態では、環境光照度センサ７は例えば１０Ｌｘ（ルクス）から２万Ｌｘの明るさを測定することができる。環境光照度センサ７の測定範囲は、画像表示部６のＬＣＤ表示部６２が透過形ＬＣＤから構成されている場合は、変更可能な輝度の範囲を充分にカバーしている。マイコン３は、Ａ／Ｄ変換部により環境光照度センサ７の出力信号をＡ／Ｄ変換した結果を用い、上記関係式に基づき明るさを算出している。
【００３２】
測光センサ８は、ＡＥ（Auto Exposure）センサとも呼ばれており、マイコン３の入出力ポートを介してＡ／Ｄ変換部に接続されている。測光センサ８には、撮影時の被写体及びその周囲からの光量が撮影レンズ５を透過して照射される。マイコン３のＡ／Ｄ変換部でＡ／Ｄ変換された結果から、明るさの強弱及びその程度が判る。撮像装置では、測光センサ８の出力に基づいて、ＩＳＯ感度、シャッタ速度ＴＶ、絞りＡＶの関係を成り立たせている。この関係が成り立つことで、適正な明るさで撮影することができる。
【００３３】
測光センサ８の出力は、ＥＶ：Exposure Value（＝Light Value）値として出力され、下記の関係式が成り立つ。
【００３４】
ＥＶ＝ｌｏｇ２（Ｆ＾２／Ｔ）
Ｆ：レンズ絞り（ＡＶ）
Ｔ：露出時間（秒）（ＴＶ）
ＥＶ値は、絞り（Ｆ）と露出時間（Ｔ）で決まる値であり、更に撮像素子の感度補正により決まるＩＳＯが加わる。更に、ＥＶ値から照度への換算は公知の関係式により求めることができる。
【００３５】
外部記憶装置９は、不揮発性の記録メディア（例えばＣＦカード、ＳＤカード等）として複数の画像データを保存することが可能であり、撮像装置に着脱可能となっている。外部記憶装置９を撮像装置に装着した状態で、画像処理部２から出力される画像データを外部記憶装置９に記憶する処理を１つまたは複数の撮影画面分について行うことが可能である。また、前記処理を行った後、外部記憶装置９を撮像装置から取り外し、撮像装置のデータ形式で画像データを読み出し可能な別の機器に装着し、外部記憶装置９に記憶されている画像データの再生・編集・保存を行うことが可能である。
【００３６】
また、外部記憶装置９を撮像装置に再度装着し、外部記憶装置９に記憶されている画像データが撮像装置のデータ形式で読み出し可能な画像データであれば、画像データの読み出し後、画像処理部２にて所定の画像処理を行うことが可能である。更に、画像表示部６のＬＣＤ制御部６１にてＬＣＤ表示部６２に表示するための処理を行った後、ＬＣＤ表示部６２に画像を表示することが可能である。
【００３７】
図２は、撮像装置の背面部の構成を示す図である。図３は、撮像装置の上面部の構成を示す図である。
【００３８】
図２、図３において、撮像装置本体１０１には、液晶モニタ１０２（表示手段）、背面操作ダイヤル１０３、上面操作ダイヤル１０４、レリーズボタン１０５、ファインダ接眼部１１０、照度センサ受光部１１２等が配置されている。ファインダ接眼部１１０は、撮像装置本体１０１の背面部に配設されており、撮影対象の被写体を観察するための部材である。液晶モニタ１０２は、撮像装置本体１０１の背面部に配設されると共に、内部に画像表示部６のＬＣＤ表示部６２とバックライト６３が配置されている。
【００３９】
背面操作ダイヤル（サブ電子ダイヤル）スイッチ１０３及び上面操作ダイヤル（電子ダイヤル）スイッチ１０４は、撮影時の露出値等の撮影条件の変更などを行う際に操作する（以下スイッチ省略）。レリーズボタン１０５は、撮影条件の決定後に撮影動作を開始する際に操作する。グリップ部１０６は、撮像装置本体１０１の前面右側が前方に張り出した部分であり、使用者が撮影を行う際に保持する。指充て部１０７は、撮像装置本体１０１の背面側に突出した部分であり、使用者がグリップ部１０６を握って撮像装置を把持した場合に親指がすべらないようにする役割を担っている。
【００４０】
操作スイッチ１０８は、指当て部１０７の上側に設けられており、所定の操作を行う際に用いる。メディアカバー１０９は、撮像装置本体１０１に対し回動可能に配設されており、外部記憶装置９（ＣＦカード等の記録メディア）を挿抜する際に使用者の操作に従って開閉可能となっている。
【００４１】
照度センサ受光部１１２は、本発明の特徴の１つであり、液晶モニタ１０２の近傍に配設されると共に、内部に環境光照度センサ７（図１）が組み付けられている。照度センサ受光部１１２を透過した光が環境光照度センサ７に照射される。
【００４２】
操作スイッチ１１３〜１１７は、液晶モニタ１０２の左側に配設されている。操作スイッチ（以下再生表示スイッチ（ＤＩＳＰスイッチ））１１４は、外部記憶装置９に記録されている撮影画像を液晶モニタ１０２に表示する際に操作する。
【００４３】
操作スイッチ（以下撮影情報表示スイッチ（ＩＮＦＯスイッチ））１１５は、液晶モニタ１０２に撮影情報を撮影画像と併せて表示する際に操作する。外部記憶装置９に記録されている撮影画像が液晶モニタ１０２に表示された状態で、撮影情報表示スイッチ１１５を操作すると、各種の撮影情報（ＩＳＯ、ＴＶ、ＡＶ、ＷＢモード、撮影日時時刻等）が撮影画像と併せて液晶モニタ１０２に表示される。
【００４４】
操作スイッチ（以下ＭＥＮＵ表示スイッチ）１１６は、液晶モニタ１０２に表示されたメニューの中から所望の項目を選択する際に操作する。前記メニューには、ＷＢや画像圧縮率等の撮影に関わる一連の画像の処理、液晶モニタ１０２の点灯時時間、外部モニタ（ＮＴＳＣ方式、ＰＡＬ方式等）にビデオ信号を出力し表示する際の設定が含まれる。
【００４５】
操作スイッチ（以下動画表示動作スイッチ（ライブビュースイッチ））１７は、液晶モニタ１０２に対するリアルタイム動画の表示または動画記録画像の再生表示を行う際に操作する。
【００４６】
次に、上記構成を有する本実施の形態の撮像装置の動作について図４乃至図７を参照しながら説明する。
【００４７】
まず、撮像装置の動作モードの状態遷移について図４及び図５に基づき説明する。
【００４８】
図４は、撮像装置の動作モードの状態遷移を示す図である。図５（ａ）は、液晶モニタに表示されるメニューを示す図、図５（ｂ）は、液晶モニタに表示される静止画再生状態における静止画を示す図である。
【００４９】
図４において、撮像装置の電源スイッチが使用者により操作され、パワーオフ状態からパワーオン状態となると、撮像装置は起動時動作（１）を行った後、ＭＥＮＵ（メニュー）表示状態（２）に移行する。ＭＥＮＵ表示状態（２）では、液晶モニタ１０２の表示内容は図５（ａ）に例示するような画像の撮影に関わる設定の表示となる。本実施の形態では、液晶モニタ１０２に対し「ｄ−Ｍ１」（記録画質設定）、「ｄ−Ｍ２」（ドライブモード設定）、「ｄ−Ｍ３」（静止画オートプレイ）、「ｄ−Ｍ４」（動画プレイ）の４項目のメニュー表示が行われる。
【００５０】
ＭＥＮＵ表示状態（２）では、使用者が撮像装置の十字キー部（不図示）の上下キーを操作することで、「ｄ−Ｍ１」、「ｄ−Ｍ２」、「ｄ−Ｍ３」、「ｄ−Ｍ４」の中から選択項目を変更することができる。選択項目は他の項目と表示色を変えることで区別される。図５（ａ）の例では、項目「ｄ−Ｍ１」が選択された状態が示されている。項目「ｄ−Ｍ１」が選択された状態から使用者が背面操作ダイヤル１０３の中央部の選択スイッチ１１８をオンに操作すると、液晶モニタ１０２の表示を記録サイズ及び圧縮率の設定（記録画質設定）を行う画面に移行させることができる。
【００５１】
また、項目「ｄ−Ｍ２」が選択された状態から使用者が選択スイッチ１１８をオンに操作すると、液晶モニタ１０２の表示をドライブモードを選択する画面に移行させることができる。また、項目「ｄ−Ｍ３」が選択された状態から使用者が選択スイッチ１１８をオンに操作すると、撮像装置の動作モードは静止画オートプレイ状態（４）に移行する。また、項目「ｄ−Ｍ４」が選択された状態から使用者が選択スイッチ１１８をオンに操作すると、撮像装置の動作モードは動画プレイ状態に移行する。
【００５２】
ＭＥＮＵ表示状態（２）で使用者がＭＥＮＵ表示スイッチ１１６をオンに操作すると、撮像装置は液晶モニタ１０２を消灯する消灯状態（８）となる。ＭＥＮＵ表示状態（２）で使用者が再生表示スイッチ１１４をオンに操作すると、撮像装置の動作モードは静止画再生状態（３）に移行する。図５（ｂ）は静止画再生状態（３）における液晶モニタ１０２の表示例である。
【００５３】
液晶モニタ１０２には、外部記憶装置９に記録されている撮影済みの静止画ファイルの１駒（コマ）表示が行われる。静止画再生状態（３）で使用者が背面操作ダイヤル１０３を回転操作することで、液晶モニタ１０２の表示を外部記憶装置９に記録されている他の静止画ファイルの画像表示に切り替えることができる。また、静止画再生状態（３）で使用者が撮影情報表示スイッチ（ＩＮＦＯスイッチ）１１５をオンに操作すると、液晶モニタ１０２に再生表示されている駒画像の撮影情報が同一画面上に表示される。再び撮影情報表示スイッチ１１５をオンに操作すると、１駒表示状態に戻る。
【００５４】
静止画再生状態（３）で使用者が再生表示スイッチ（ＤＩＳＰスイッチ）１１４をオンに操作すると、撮像装置は静止画再生表示を終了し、液晶モニタ１０２を消灯する消灯状態（８）となる。消灯状態（８）で使用者が再生表示スイッチ１１４をオンに操作すると、液晶モニタ１０２は点灯し、静止画再生表示となる。また、使用者がＭＥＮＵ表示スイッチ１１６をオンに操作しても、液晶モニタ１０２は点灯し、ＭＥＮＵ表示状態（２）に移行する。
【００５５】
また、ＭＥＮＵ表示状態（２）から静止画オートプレイ状態（４）に移行すると、撮像装置は外部記憶装置９に記録されている静止画ファイルを一定時間間隔で自動的に駒送りし、液晶モニタ１０２の画像表示を切り替える。
【００５６】
また、静止画オートプレイ状態（４）で使用者がＭＥＮＵ表示スイッチ１１６をオンに操作すると、撮像装置は静止画オートプレイを終了し、ＭＥＮＵ表示状態（２）に移行する。
【００５７】
ＭＥＮＵ表示状態（２）で使用者がライブビュースイッチ１１７をオンに操作すると、ライブビュー状態（５）に移行する。ここで、ライブビュー状態とは、クイックミラーを跳ね上げることで、撮像部１が撮像する電子動画像を液晶モニタ１０２にスルー表示（ライブビュー表示）させる状態である。
【００５８】
ライブビュー状態（５）で使用者がライブビュースイッチ１１７をオンに操作すると、撮像装置はライブビュー表示を終了し、クイックミラーを下げることでＭＥＮＵ表示状態（２）に戻る。
【００５９】
ライブビュー状態（５）で使用者が背面操作ダイヤル１０３の中央部の選択スイッチ（動作撮影スイッチ）１１８をオンに操作すると、撮像装置の動作モードは動画記録状態（６）に移行する。
【００６０】
動画記録状態（６）では、撮像部１により撮像され液晶モニタ１０２に表示されている電子動画像をファイルとして外部記憶装置９に記録する動作が行われる。
【００６１】
静止画再生状態（３）で使用者が背面操作ダイヤル１０３及び選択スイッチ１１８を操作することで動画ファイルが選択されると、撮像装置は外部記憶装置９に記録されている動画ファイルの再生を行う。
【００６２】
動画再生状態（７）で使用者がＭＥＮＵ表示スイッチ１１６をオンに操作すると、撮像装置は動画プレイを終了し、ＭＥＮＵ表示状態（２）に移行する。
【００６３】
尚、動画記録状態（６）においても使用者がレリーズボタン１０５をオンに操作すると、撮像装置では動画記録を中断して静止画撮影を行うことになる。従って、静止画撮影操作が行われた動画ファイルにおいては、途中、静止画撮影のタイミングで動画の連続性が失われている場合がある。その部分については、数秒程度の一定時間だけ動画プレイ中に黒表示が行われる。
【００６４】
このように、ＭＥＮＵ表示状態（２）〜消灯状態（８）において使用者がレリーズボタン１０５をオンに操作すると、撮像装置は静止画の撮影シーケンスに移行する。静止画撮影シーケンスに入ると、マイコン３は、液晶モニタ１０２を消灯し、続いて焦点検出部４の出力信号により測距情報を得て、撮影レンズ５を合焦位置に移動するように撮影レンズ５に内蔵された制御部に通信する。
【００６５】
更に、マイコン３は、測光センサ８の出力信号により測光情報を得て、適正な露出となるシャッタ速度や絞り値を決定し、決定された絞り値を撮影レンズ５に内蔵された絞り駆動回路に通信し、絞り込み動作が行われるようにする。マイコン３は、モータドライバを駆動してクイックリターンミラーを跳ね上げ、シャッタ駆動部を制御してメカニカルシャッタを駆動する。
【００６６】
尚、ライブビュー状態（５）あるいは動画記録状態（６）からの静止画撮影シーケンスへの移行である場合、すでにクイックリターンミラーは跳ね上げ状態でメカニカルシャッタも開かれており、測距情報や測光情報は撮像部１から得られている。従って、ここまでの動作は省略される。
【００６７】
続いて、マイコン３は、シャッタ駆動部によりメカニカルシャッタを閉じ、モータドライバを駆動してクイックリターンミラーを下げると共にメカニカルシャッタをチャージするなどの一連の撮影動作を行う。
【００６８】
撮像部１により撮像された静止画情報は、画像処理部２によって読み出されてＡ／Ｄ変換され、現像処理が行われる。現像処理が終了すると、マイコン３は、液晶モニタ１０２に撮影確認用画像を所定時間表示する。マイコン３は、液晶モニタ１０２に対する撮影確認用画像表示と並行して静止画記録ファイルとしての変換や圧縮処理を行い、静止画記録ファイルを外部記憶装置９に記録する。
【００６９】
こうして静止画撮影シーケンスが完了すると、動作モードは、通常、撮影待機状態に戻るが、ライブビュー状態（５）あるいは動画記録状態（６）から静止画撮影シーケンスに移行した場合、それぞれ元のライブビュー状態あるいは動画記録状態に戻る。
【００７０】
次に、液晶モニタ１０２における図５（ａ）に例示するＭＥＮＵ表示内容が変化すること無く継続して表示されている場合の液晶モニタ１０２の表示輝度制御を、図６及び図７に基づき説明する。
【００７１】
図６は、撮像装置の外光照度の変化、目標輝度及び設定輝度の変化、照度検出タイミングの関係を示すタイミングチャートである。
【００７２】
図６において、横軸は時間の経過を表す。屋外において撮像装置に照射される外光の照度は、時間の経過と共に実線で示す外光照度Ｌｅで表されるように変化する。本実施の形態では外光照度Ｌｅは以下のように変化する。
【００７３】
時間ｔ１からｔ４付近にかけて比較的大きな変化量で上昇
時間ｔ７付近までの間、比較的小さな変化量で上昇
時間ｔ８付近までの間、大きな変化量で下降
時間ｔ１１付近までの間、比較的小さな変化量で下降
時刻ｔ１８付近までの間、比較的小さな変化量で上昇
マイコン３は、マイコン自身が有するタイマ機能による割り込み動作において、略一定間隔で（所定の時間間隔で）環境光照度センサ７により外光照度Ｌｅの検出を行う。図中、この検出タイミングは照度検出タイミングＴｉｎｔで表されている。照度検出タイミングＴｉｎｔの立ち上がり信号が発生すると、マイコン３はタイマ割り込みを発生し、外光照度を検出し、その検出結果に基づく液晶モニタ１０２の表示輝度の設定を行うための割り込みルーチンの処理を行う。尚、マイコン３によって行われる撮像装置の基本動作であるメインルーチンの処理は本発明と直接関係しないので説明を省略する。
【００７４】
図７は、撮像装置のタイマ割り込みルーチンによる輝度設定処理を示すフローチャートである。
【００７５】
図７において、撮像装置でタイマ割り込みが発生するとタイマ割り込みルーチンが実行される。まず、マイコン３は、環境光照度センサ７の出力信号をＡ／Ｄ変換して入力し、その時点での外光照度Ｌｅの情報を得る（ステップＳ１０）。続いて、マイコン３は、外光照度Ｌｅの値に対し、適正となる液晶モニタ１０２の目標輝度Ｂｔ（ｎ）を算出する（ステップＳ２０）。目標輝度Ｂｔ（ｎ）は、演算式に基づき算出してもよいし、予め用意されたテーブルを参照して算出してもよい。その際、演算式あるいはテーブルは、事前に行われた実験の値や周知データ等により得られた外光照度とこれに対応する目標輝度値との関係から求められる。
【００７６】
ここで、目標輝度Ｂｔ（ｎ）におけるｎは図６に示す照度検出タイミングＴｉｎｔに従った時間系列を表している。仮に、今回実行している割り込み処理が図６に示すタイミングｔ２によるものである場合、タイミングｔ２における外光照度Ｌｅの値に対して算出される目標輝度がＢｔ（ｎ）であるとする。前回のタイミングｔ１で実行した割り込み処理で算出された目標輝度はＢｔ（ｎ−１）になる。
【００７７】
このように、目標輝度Ｂｔ（ｎ）は、割り込み発生タイミング毎にその時の外光照度Ｌｅの値に応じて更新されるので、図６のＢｔで示すように階段状になる。尚、目標輝度Ｂｔは破線、液晶モニタ１０２の設定輝度Ｂｓｅｔは実線で示している。外光照度Ｌｅの変化が分かりやすいように、設定輝度Ｂｓｅｔの線を目標輝度Ｂｔの線に重ねたものである。
【００７８】
続いて、マイコン３は、ステップＳ２０で算出した目標輝度Ｂｔ（ｎ）の値をそのまま液晶モニタ１０２の設定輝度（輝度設定値）Ｂｓｅｔ（ｎ）に設定する（ステップＳ３０）。その後、マイコン３は、前回の割り込み処理以降に使用者のスイッチ操作等による液晶モニタ１０２の表示モードに変更があったか否か（変更の有無）を判定する（ステップＳ５０）。
【００７９】
液晶モニタ１０２の表示モードの変更があった場合は、直接、ステップＳ６０に移行する。液晶モニタ１０２の表示モードの変更がない場合は、マイコン３は、液晶モニタ１０２がＭＥＮＵ表示モードにあるか否かを判定する（ステップＳ５１）。液晶モニタ１０２の表示モードの変更がなくともＭＥＮＵ表示モードにある場合は、ステップＳ６０に移行する。
【００８０】
液晶モニタ１０２の表示モードの変更があった場合、あるいは液晶モニタ１０２の表示モードの変更がなくともＭＥＮＵ表示モードにある場合は、マイコン３は、次の処理を行う。即ち、液晶モニタ１０２の表示輝度を、ステップＳ３０の処理で決定した液晶モニタ１０２の設定輝度Ｂｓｅｔ（ｎ）に変更するように画像表示部６に指示を出し（ステップＳ６０）、割り込みルーチンを終了する。液晶モニタ１０２の表示モードの変更がなく且つＭＥＮＵ表示モードでない場合は、液晶モニタ１０２の表示輝度を更新することなく割り込みルーチンを終了する。
【００８１】
上記の割り込みルーチンを、図６に示すタイミングｔ０〜ｔ１８の各々で実行すると、液晶モニタ１０２の設定輝度Ｂｓｅｔ（ｎ）は実線Ｂｓｅｔのように変化する。ここで、上記の表示モードの変更とは、図６に示す時間ｔ４５、ｔ９１０、ｔ１３１４、ｔ１６１７に発生する状態の変化である。
【００８２】
時間ｔ４５は、使用者が再生表示スイッチ１１４をオン操作した時間であり、液晶モニタ１０２の表示状態はＭＥＮＵ表示状態（２）から静止画再生状態（３）に移行する。時間ｔ５に、液晶モニタ１０２の設定輝度Ｂｓｅｔの内容はＢｔ５に切り換わる。
【００８３】
時間ｔ９１０は、使用者がＭＥＮＵ表示スイッチ１１６をオン操作した時間であり、液晶モニタ１０２の表示状態は静止画再生状態（３）からＭＥＮＵ表示状態（２）に移行する。時間ｔ１０に、液晶モニタ１０２の設定輝度Ｂｓｅｔの内容はＢｔ５からＢｔ１０に切り換わる。
【００８４】
以降、時間ｔ１４で使用者の再生表示スイッチ１１４のオン操作を検知するまでは、上述の時間ｔ０から時間ｔ５と同じように毎回の割り込みのたびに設定輝度Ｂｓｅｔがそのときの目標輝度Ｂｔにて更新される。
【００８５】
時間ｔ１３１４は、使用者が再生表示スイッチ１１４をオン操作した時間であり、時間ｔ４５と同じように、液晶モニタ１０２の表示状態はＭＥＮＵ表示状態（２）から静止画再生状態（３）に移行する。時間ｔ１４に、液晶モニタ１０２の設定輝度Ｂｓｅｔの内容はｔ１３の直前に算出され、設定された輝度（本実施の形態ではＢｔ１０と同じ値）からＢｔ１４に切り換わる。
【００８６】
時間ｔ１６１７は、使用者が背面操作ダイヤル１０３を操作した時間であり、液晶モニタ１０２に表示される再生画像は切り換わるものの静止画再生状態（３）から変化するものではない。液晶モニタ１０２の設定輝度ＢｓｅｔはＢｔ１４を保持継続し、Ｂｔ１７への切り換わりは行わない。
【００８７】
液晶モニタ１０２の表示輝度を更新するとき、画像表示部６のＬＣＤ制御部６１は、マイコン３の指示に従って液晶モニタ１０２のバックライト６３の輝度を変更する。
【００８８】
尚、バックライト６３の輝度が変更可能な上限値あるいは下限値に到達してしまった場合、それ以上の輝度の変更はできない。しかし、液晶モニタ１０２の画像の入力値に対する透過特性を変更し、擬似的に画像を明るく見せたり暗く見せたりすることも可能である。従って、バックライト６３の輝度だけでは対応できないような外光照度の領域では、前記のような擬似的な表示制御手法を組み合わせてもよい。
【００８９】
以上詳細に説明したように、本実施の形態によれば、主として撮像装置の使用者の操作に応じた液晶モニタ１０２の表示モードの切り換わりタイミングで、外光照度に対する液晶モニタ１０２の表示輝度の変更を行う。これにより、撮像装置に照射される外光の照度が変化する状態であっても、液晶モニタ１０２の表示輝度の変更は生じることがないので、撮像装置の使用者が液晶モニタ１０２を観察している状態で、使用者に不自然さを与えることがない。
【００９０】
また、液晶モニタ１０２を外光照度に応じた適正な表示輝度へ更新するタイミングは、使用者の操作に伴う表示モードが変化するタイミングに合わせている。従って、使用者に不自然さや見辛さをあまり感じさせること無く液晶モニタ１０２を適正な表示輝度に設定することができる。これにより、撮像装置の使用者にそれ程の不自然さを与えずに、外光照度の変化に対する液晶モニタ１０２の表示輝度の追従性を確保しつつ、撮影画像の確認精度を高めることができる。
【００９１】
即ち、液晶モニタ１０２における表示内容を切り換える直前の周囲の明るさに応じた輝度で液晶モニタ１０２の表示輝度を設定し、表示内容によっては液晶モニタ１０２の表示輝度を変更する制御を行わない。これにより、液晶モニタ１０２における露出確認等の撮影画像の比較確認を的確に行うことが可能となる。
【００９２】
〔第２の実施の形態〕
本発明の第２の実施の形態は、上記第１の実施の形態に対して、下記の点において相違する。本実施の形態のその他の要素は、上記第１の実施の形態（図１乃至図３）の対応するものと同一なので説明を省略する。
【００９３】
上記第１の実施の形態では、表示モードの切り換えにより液晶モニタ１０２の表示内容が変化したとき、これに同期して液晶モニタ１０２の明るさ（表示輝度）を変化させる場合について説明した。
【００９４】
これに対し、本実施の形態では、液晶モニタ１０２が「再生表示」モードにあっても、液晶モニタ１０２に表示する駒を切り換える場合は、その切り換えタイミングに同期して、周囲の明るさに応じた輝度に液晶モニタ１０２の表示輝度を切り換える。再生表示する駒がＡＥＢ撮影や連写撮影等の相関性のある駒の場合や、使用者が手動操作で意図的に輝度固定を選択した場合は、周囲の明るさが変化しても液晶モニタ１０２の表示輝度はそれまでに設定した内容を保持する。尚、ＡＥＢ（Auto Exposure Bracket）撮影では露出補正を意図的に行う。
【００９５】
次に、本実施の形態に係る撮像装置において上記第１の実施の形態との相違点を中心に図８乃至図１１を参照しながら説明する。
【００９６】
撮像装置の撮影情報表示スイッチ（ＩＮＦＯスイッチ）１１５（指示手段）は、上記第１の実施の形態で説明した撮影情報表示機能に加えて、液晶モニタ１０２の明るさを保持するための指示を行う機能を有する。撮影情報表示スイッチ１１５の操作に伴い出力される液晶モニタ１０２の明るさを保持するための指示信号は、マイコン３に入力される。マイコン３は、指示信号に基づき液晶モニタ１０２の明るさを保持する制御を行う。
【００９７】
撮影情報表示スイッチ１１５を押し込んだ状態（オン状態）では、照度センサ受光部１１２から内部の環境光照度センサ７に対する入射光量が大きく変化する。そして、通常の輝度自動制御動作であれば液晶モニタ１０２の明るさが変化するほどであっても、液晶モニタ１０２の明るさは変化せず、明るさ一定となる動作をする。この状態で、背面操作ダイヤル１０３の操作により、液晶モニタ１０２に再生表示している撮影画像（撮影駒）を切り換えても、やはり液晶モニタ１０２の明るさは変化せず、明るさ一定となる動作をする。
【００９８】
図８は、本実施の形態に係る撮像装置の動作モードの状態遷移を示す図である。
【００９９】
図８において、上記第１の実施の形態で説明した図４と同じ構成であるが、「（３）静止画再生」、「（４）静止画オートプレイ」の中に、それぞれＡＥＢ画像と連写画像が含まれることを意図的に示すものである。ＡＥＢ画像や連写画像については、液晶モニタ１０２に対する再生画像の表示の際に連続性ありと判断し、これに応じた処理動作を行う。詳細は後述する。
【０１００】
更に、本実施の形態の撮像装置の一連の動作を図９乃至図１１を用いて説明する。
【０１０１】
図９は、撮像装置の外光照度の変化、目標輝度及び設定輝度の変化、照度検出タイミングの関係を示すタイミングチャートである。図１０は、撮像装置の外光照度の変化、目標輝度及び設定輝度の変化、照度検出タイミングの関係を示すタイミングチャートであり、撮影情報表示スイッチ（ＩＮＦＯスイッチ）１１５の操作を加えている。
【０１０２】
図９、図１０において、２つの図には時間ｔ１６１７での液晶モニタ１０２の設定輝度Ｂｓｅｔに違いがある。マイコン３は、使用者が撮影情報表示スイッチ１１５を操作してオンを保持した状態で背面操作ダイヤル１０３を操作し、液晶モニタ１０２への表示対象の画像を切り換えたときは、液晶モニタ１０２の表示輝度が変わらないように制御を行う。
【０１０３】
図１１は、撮像装置のタイマ割り込みルーチンによる輝度設定処理を示すフローチャートである。
【０１０４】
図１１において、本処理は、図７に示した処理内容にステップＳ５２、ステップＳ５３、ステップＳ５４、ステップＳ５５を追加したものであり、共通する処理は説明を簡略化または省略する。まず、追加したステップＳ５２〜ステップＳ５５の一連の流れを説明した後、図９・図１０のタイミングチャートと共に詳述する。
【０１０５】
液晶モニタ１０２の表示モードの変更がなくともＭＥＮＵ表示モードにある場合は（ステップＳ５１でＹＥＳ）、マイコン３は次の処理を行う。ステップＳ３０の処理で決定した液晶モニタ１０２の設定輝度Ｂｓｅｔ（ｎ）に基づき、液晶モニタ１０２の表示輝度を変更するように画像表示部６に指示を出す（ステップＳ６０）。液晶モニタ１０２がＭＥＮＵ表示モードでない場合は、マイコン３は、再生画像表示中であるか否かを判定する（ステップＳ５２）。
【０１０６】
液晶モニタ１０２がＭＥＮＵ表示モードでなく再生画像表示中でない場合は、上述した液晶モニタ１０２の表示輝度更新を行う（ステップＳ６０）。液晶モニタ１０２がＭＥＮＵ表示モードでなく再生画像表示中である場合は、マイコン３は、使用者により撮影情報表示スイッチ（ＩＮＦＯスイッチ）１１５がオンに操作されたか否かを判定する（ステップＳ５３）。撮影情報表示スイッチ１１５がオンに操作された場合は、液晶モニタ１０２の表示輝度の更新を行うことなく割り込みルーチンを終了する。
【０１０７】
液晶モニタ１０２がＭＥＮＵ表示モードでなく再生画像表示中であって撮影情報表示スイッチ１１５がオンに操作されていない場合は、マイコン３は次の判別を行う。即ち、液晶モニタ１０２において前回（ｎ−１）に表示している撮影駒と、今回（ｎ）に表示しようとしている撮影駒の連続性を判別する（ステップＳ５４）。連続性とは、ＡＥＢ撮影による撮影駒や連写撮影（連続撮影）による撮影駒を指し、外部記憶装置９に撮影画像と併せて記録されている撮影時のデータから判別する。
【０１０８】
撮影駒の連続性がある場合は（ステップＳ５５でＹＥＳ）、上述した撮影情報表示スイッチ１１５がオンに操作された場合と同様に、液晶モニタ１０２の表示輝度の更新を行うことなく割り込みルーチンを終了する。即ち、液晶モニタ１０２において表示画像を切り換える際に液晶モニタ１０２の表示輝度を更新せずにそれまでの表示輝度を保持する。撮影駒の連続性がない場合は（ステップＳ５５でＮＯ）、上述した液晶モニタ１０２の表示輝度の更新を行う（ステップＳ６０）。
【０１０９】
上記の図９及び図１０に示した各信号の意味は図６に示した各信号と同じであり、説明を省略する。また、外光照度Ｌｅと照度検出内容等も図６に示したものと同じであり、説明を省略する。
【０１１０】
図６では、時間ｔ０で既に液晶モニタ１０２はＭＥＮＵ表示がなされており、使用者により再生表示スイッチ１１４が操作される時間ｔ４５までの間は、マイコン３は次の輝度更新を行う。即ち、時間ｔ１から時間ｔ４までの各照度検出タイミングにて検出された外光照度Ｌｅに応じた目標輝度Ｂｔ及び設定輝度Ｂｓｅｔとなるよう、液晶モニタ１０２の表示輝度の更新を行う。
【０１１１】
図１１では、このとき液晶モニタ１０２はＭＥＮＵ表示であるから、ＭＥＮＵ表示中か否かの判別処理（ステップＳ５１）により設定輝度Ｂｓｅｔ（ｎ）に基づく液晶モニタ１０２の表示輝度更新処理（ステップＳ６０）が、割り込み発生のたびに行われている。
【０１１２】
図９（図１０）の時間ｔ４５に使用者が再生表示スイッチ１１４をオンに操作すると、時間ｔ５による割り込み処理にて液晶モニタ１０２の表示内容はメニューから再生表示画像に切り換わる。すると、表示モードの変更であるから、ステップＳ６０にて設定輝度ＢｓｅｔはＢｔ５に更新される。そして、時間ｔ６の割り込み処理ではスイッチ操作がないので、目標輝度Ｂｔは変化しているが、設定輝度Ｂｓｅｔは変わらない。
【０１１３】
時間ｔ９１０に使用者がＭＥＮＵ表示スイッチ１１６をオンに操作すると、時間ｔ１０での割り込み処理では、液晶モニタ１０２の表示内容は再生表示画像からメニューに切り換わる。すると、表示モード変更であるから、図１１のステップＳ６０にて設定輝度Ｂｓｅｔはこのときの目標輝度ＢｔであるＢｔ１０に更新される。
【０１１４】
以降、時間ｔ１４で使用者の再生表示スイッチ１１４のオン操作を検知するまでは、上述の時間ｔ０から時間ｔ５と同じように毎回の割り込みのたびに設定輝度Ｂｓｅｔがそのときの目標輝度Ｂｔにて更新される。
【０１１５】
時間ｔ１４では使用者により再生表示スイッチ１１４がオンに操作されたことを検知し、このときは表示モードの変更であるから（ステップＳ５０）、時間ｔ５のときと同じ動作となる。
【０１１６】
時間ｔ１６１７に使用者が背面操作ダイヤル１０３を操作すると、マイコン３は該操作を時間ｔ１７に発生する割り込み処理で検知する。このときは液晶モニタ１０２は再生画像表示中であり（ステップＳ５２）、撮影情報表示スイッチ１１５はオンされておらず（ステップＳ５３）、連続性のない画像であり、設定輝度Ｂｓｅｔをこのときの目標輝度ＢｔであるＢｔ１７で更新する。
【０１１７】
図１０では、時間ｔ１７の割り込み処理の際に、マイコン３は時間ｔ１６１７に行われた背面操作ダイヤル１０３の操作を検知する。更に撮影情報表示スイッチ１１５もオンとする操作が行われていることから、設定輝度ＢｓｅｔはＢｔ１４のままとし、このときの目標輝度Ｂｔ１７に更新することはない。
【０１１８】
また、図９に示すように、時間ｔ１６１７の操作で液晶モニタ１０２の撮影画像の表示を切り換える際に、撮影情報表示スイッチ１１５をオンにする操作が行われていないときであっても、マイコン３は次のように判別する。即ち、液晶モニタ１０２の表示で切り換える画像がＡＥＢ撮影モードまたは連続撮影モードによる撮影の画像であれば、連続性ありと判別する（ステップＳ５４）。
【０１１９】
尚、図１０の時間ｔ１７での目標輝度Ｂｔと設計輝度Ｂｓｅｔの関係のように、時間ｔ１７の割り込み処理による液晶モニタ１０２の表示輝度の更新は行わない。
【０１２０】
上述したように、ＭＥＮＵ表示では、液晶モニタ１０２の表示輝度を随時更新するが、再生画像表示では、表示画像の切り換わりのタイミングに併せて液晶モニタ１０２の表示輝度を更新する。但し、切り換え表示する再生画像の相互間に関連性がある場合や、使用者が意図的に表示輝度が変化しないようスイッチ操作している場合は、液晶モニタ１０２の表示輝度の更新を行わない。これにより、再生画像表示を観察するときには、わずかな輝度変化もない明るさを制御することを実現している。
【０１２１】
以上詳細に説明したように、本実施の形態によれば、上記第１の実施の形態と同様に、液晶モニタ１０２における露出確認等の撮影画像の比較確認を的確に行うことが可能となる。
【０１２２】
〔第３の実施の形態〕
本発明の第３の実施の形態は、上記第１の実施の形態に対して、下記の点において相違する。本実施の形態のその他の要素は、上記第１の実施の形態（図１乃至図３）の対応するものと同一なので説明を省略する。
【０１２３】
上記第１及び第２の実施の形態では、液晶モニタ１０２の表示輝度の切り換え制御方法として、所定の条件のもとで周囲の明るさに応じて液晶モニタ１０２の表示輝度を「自動設定」する場合について説明した。
【０１２４】
これに対し、本実施の形態では、液晶モニタ１０２の表示輝度の切り換え制御方法として、「自動設定」の他に、使用者の意図した設定に従い液晶モニタ１０２の表示輝度を「手動設定」する場合を含む制御について説明する。
【０１２５】
次に、本実施の形態に係る撮像装置において上記第１及び第２の実施の形態との相違点を中心に図１２及び図１３を参照しながら説明する。
【０１２６】
撮像装置では、液晶モニタ１０２の表示輝度を自動設定する方法と手動設定する方法のうち任意の方法を、撮像装置の表示モードに応じて選択することが可能である。手動設定では、使用者が撮影の状況や好みに応じて、撮像装置に予め用意されている複数の設定の中から適宜選択するものである。
【０１２７】
図１２は、本実施の形態に係る撮像装置のタイマ割り込みルーチンによる輝度設定処理を示すフローチャートである。図１３は、図１２の輝度自動設定処理の詳細を示すフローチャートである。
【０１２８】
図１２において、撮像装置の使用者が所定の操作を行うと、マイコン３は、液晶モニタ１０２の表示を点灯した後（ステップＳ１００）、液晶モニタ１０２の表示がＭＥＮＵ表示であるか否かを判定する（ステップＳ２００）。液晶モニタ１０２の表示がＭＥＮＵ表示である場合は、マイコン３は、液晶モニタ１０２に輝度制御選択ＭＥＮＵを表示すると共に、液晶モニタ１０２を周囲の明るさに応じて選択された輝度で表示する輝度自動設定を行う（ステップＳ３００）。そして、マイコン３は、表示モードが変更されるまで（ステップＳ３５０でＹＥＳ）、同じ輝度設定制御を繰り返す。
【０１２９】
一方、液晶モニタ１０２の表示がＭＥＮＵ表示ではない場合、即ち、撮影した静止画像や動画像を再生表示したり撮像部１から得られる画像をリアルタイムで連続的に表示したりする場合は、マイコン３は次の設定を行う。即ち、使用者が予め設定しておいた液晶モニタ１０２の手動設定値に基づき輝度設定を行う（ステップＳ４００）。そして、マイコン３は、表示モードが変更されるまで（ステップＳ４５０でＹＥＳ）、同じ輝度設定制御を繰り返す。
【０１３０】
ステップＳ３５０またはステップＳ４５０で液晶モニタ１０２の表示モードが変更された場合、マイコン３は、液晶モニタ１０２の表示を消灯するか否かを判定する（ステップＳ５００）。液晶モニタ１０２の表示を消灯する場合は、マイコン３は、液晶モニタ１０２の表示を消灯し（ステップＳ６００）、本処理を終了する。液晶モニタ１０２の表示を消灯しない場合は、ステップＳ２００に戻り、マイコン３は、液晶モニタ１０２の表示内容の変更と共に、液晶モニタ１０２の表示輝度設定制御方法も表示モードに従った内容に切り換える。
【０１３１】
上記のステップＳ３００における液晶モニタ１０２を周囲の明るさに応じて選択された輝度で表示する輝度自動設定の詳細は、図１３のフローチャートに示す通りである。図１３は、図７の構成からステップＳ５０とステップＳ５１を削除した構成であり、各ステップの処理内容は図７と同じなのでここでの説明は省略する。
【０１３２】
また、輝度自動設定では、更に、使用者の明るさの好みを反映させるために「明るめ」、「標準」、「暗め」の明るさ調整がメニューとして用意されている。使用者は液晶モニタ１０２に表示される前記メニューから好みの項目を選択する。「明るめ」、「暗め」の各設定は、「標準」に対してそれぞれ５０％増加、５０％減少となる制御内容となっている。
【０１３３】
図１２のステップＳ４００で使用する「表示輝度設定」の手動設定値はメニューの１項目である。手動設定値として選択できる輝度は、制御可能な輝度の範囲から複数用意されている。使用者が複数の輝度から１つの輝度を選択すると、選択した輝度が手動設定値反映動作の際に使用される。以降、ステップＳ４００では手動設定値として選択した輝度で表示される。
【０１３４】
また、図１２のステップＳ３００及びステップＳ４００で選択したＭＥＮＵ内容は、マイコン３に内蔵されている不揮発性メモリに選択した制御内容として記憶される。これにより、撮像装置の電源を切断した場合でも、撮像装置の次回の起動時には不揮発性メモリに記憶されている選択した制御内容に基づき撮像装置が動作する。
【０１３５】
以上詳細に説明したように、本実施の形態によれば、上記第１の実施の形態と同様に、液晶モニタ１０２における露出確認等の撮影画像の比較確認を的確に行うことが可能となる。
【０１３６】
〔他の実施の形態〕
第１乃至第３の実施の形態では、本発明を撮像装置（デジタルカメラ）に装備される画像表示部の表示制御に適用した場合を例に挙げたが、これに限定されるものではない。本発明は、撮像装置（デジタルカメラ）以外の光学機器や他の機器（カメラ機能を有する携帯電話機、携帯情報端末、ノート型パーソナルコンピュータ）に装備される表示部の表示制御にも適用することができる。
【０１３７】
また、第１乃至第３の実施の形態では、画像表示部をバックライト方式の液晶ディスプレイとして構成した場合を例に挙げたが、これに限定されるものではない。有機ＥＬディスプレイ、表面電界ディスプレイ（ＳＥＤ）、プラズマディスプレイ等の自発光方式のディスプレイとして構成する場合にも適用することができる。尚、有機ＥＬディスプレイなどバックライトを持たない自己発光素子による画像表示部の場合、バックライトではなく直接表示素子の発光輝度が制御される。
【０１３８】
また、第１乃至第３の実施の形態では、画像表示部の輝度制御について各種の実施態様を例に挙げたが、以下のような制御を行ってもよい。画像表示部に対するＭＥＮＵ表示内容は、文字やシンボルを使用し且つ識別・判別がし易いようにコントラストが高い構成であることが一般的である。そこで、例えばＭＥＮＵ表示中の表示輝度も再生画像を表示する時と同じように表示モード切り換え動作に同期して切り換え、ＭＥＮＵ表示中は周囲の明るさが変化してもこれに呼応することなく、表示モード切り換え時の輝度を保持する制御であってもよい。
【０１３９】
また、第１乃至第３の実施の形態では、画像表示部の構成及び輝度制御について各種の実施態様を例に挙げたが、これに限定されるものではない。本発明は、特許請求の範囲で示した機能または各実施の形態の構成が持つ機能が達成できる構成であればどのようなものであっても適用することが可能である。
【０１４０】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ(又はＣＰＵやＭＰＵ等)が記憶媒体に格納されたプログラムコードを読み出す処理である。
【０１４１】
この場合、記憶媒体から読み出されたプログラムコード自体が前述した実施の形態の機能を実現することになり、そのプログラムコード及び該プログラムコードを記憶した記憶媒体は本発明を構成することになる。
【０１４２】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【０１４３】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【０１４４】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【符号の説明】
【０１４５】
１  撮像部
３  マイクロコンピュータ
６  画像表示部
７  環境光照度センサ
１０２  液晶モニタ
【図１】
2010258569.tif 000003
【図２】
2010258569.tif 000004
【図３】
2010258569.tif 000005
【図４】
2010258569.tif 000006
【図５】
2010258569.tif 000007
【図６】
2010258569.tif 000008
【図７】
2010258569.tif 000009
【図８】
2010258569.tif 000010
【図９】
2010258569.tif 000011
【図１０】
2010258569.tif 000012
【図１１】
2010258569.tif 000013
【図１２】
2010258569.tif 000014
【図１３】
2010258569.tif 000015